(57)【要約】【課題】室外及び室内から見たときの眩しさをなくし、室内に採光することが可能なルーバー構造を提供する。【解決手段】ルーバー構造１０では、上側曲面５１は第１鏡面反射面６１を有し、下側曲面５３は端部８２から位置８７に達する第１拡散反射面６６を有し、下側平面５４は端部８４から位置８８に達する第２拡散反射面６７を有する。【選択図】図３
2020143450.tif 000002
【特許請求の範囲】
【請求項１】
一方向に所定の間隔をあけて複数配置された羽根と、
前記羽根を支持する支持部と、を備え、
前記羽根の上面に上側曲面及び上側平面の双方又は一方を有し、
前記羽根の下面に下側曲面及び下側平面の双方又は一方を有し、
前記上側曲面又は前記上側平面は、入射光を鏡面反射させる第１鏡面反射面を有し、
前記下側曲面又は前記下側平面は、前記下面において入射光の進行方向の前方の第１端部から前記進行方向の後方の所定の第１位置までの範囲に、入射光を拡散反射させる第１拡散反射面を有し、
前記下側曲面又は前記下側平面は、前記下面において前記進行方向の後方の第２端部から前記進行方向の前方の所定の第２位置までの範囲に、入射光を拡散反射させる第２拡散反射面を有する、
ルーバー構造。
【請求項２】
前記第１位置と前記第２位置は互いに同じ位置にある、
請求項１に記載のルーバー構造。
【請求項３】
前記第１位置と前記第２位置は互いに異なる位置にあり、
前記下側曲面又は前記下側平面は、前記第１位置から前記第２位置までの範囲に、入射光を鏡面反射させる第２鏡面反射面を有する、
請求項１に記載のルーバー構造。
【請求項４】
前記上側曲面又は前記上側平面の全体が前記第１鏡面反射面である、
請求項１から３のいずれか一項に記載のルーバー構造。
【請求項５】
前記上側曲面又は前記上側平面では、前記上面における入射光の進行方向の前方の第３端部から前記進行方向の後方の所定の第３位置までが前記進行方向の前方に向かうに従って上昇する第１上昇面として構成され、
前記下側曲面又は前記下側平面では、前記第１端部から前記進行方向の後方の所定の第４位置までが前記進行方向の前方に向かうに従って上昇する第２上昇面として構成されている、
請求項１から４のいずれか一項に記載のルーバー構造。
【請求項６】
前記羽根の上面に上側曲面を有し、
前記羽根の下面に下側曲面及び下側平面を有し、
前記上側曲面は、
前記第３端部から前記進行方向の後方の所定の第５位置に達し、下方に向けて凸状に湾曲する第１放物曲面と、
前記第５位置から前記上面における前記進行方向の後方の第４端部に達し、下方に向けて凸状に湾曲する第２放物曲面と、
を有し、
前記下側曲面は、前記第１端部が接続部を介して前記第３端部に接続され、前記第１端部から前記進行方向の後方の所定の第６位置に達し、前記第１端部から前記第６位置に向かうに従って前記第１放物曲面から離間しつつ上方に向けて凸状に湾曲する第３放物曲面であり、
前記下側平面は、前記第６位置から前記第２端部に達する第１平面であり、
前記第１放物曲面は、前記一方向に交差する仮想軸線を中心とした一方の放物曲面のうち頂点近傍の部分が切りかかれた曲面であり、
前記第３放物曲面は、前記仮想軸線を中心として前記一方の放物曲面に対向する他方の放物曲面のうち頂点近傍の部分が切り欠かれた放物曲面を前記一方向に沿って平行移動させた曲面であり、
前記第２放物曲面は、前記他方の放物曲面のうち頂点近傍の部分が切り欠かれた曲面の切り欠かれた側の端部を焦点とする放物曲面の一部である、
請求項５に記載のルーバー構造。
【請求項７】
前記羽根は、前記上面及び前記下面を有する樹脂製の羽根本体を備え、
前記上側曲面又は前記上側平面の前記羽根本体に鏡面反射シートが設けられ、
前記第１拡散反射面及び前記第２拡散反射面の前記羽根本体に拡散反射シートが設けられている、
請求項１から６のいずれか一項に記載のルーバー構造。
【請求項８】
前記鏡面反射シートは、前記入射光の中心波長において８０％以上の鏡面反射率を有する、
請求項７に記載のルーバー構造。
【請求項９】
前記羽根本体は、アクリロニトリル・ブチルアクリレート・スチレンの重合体と、アクリルニトリル・エチレンプリピレン・スチレンの重合体との混合物からなる樹脂で構成されている、
請求項７又は８に記載のルーバー構造。
【請求項１０】
前記羽根は中空体で構成されている、
請求項１から９のいずれか一項に記載のルーバー構造。
【請求項１１】
前記支持部は、
前記羽根同士の間に配置された樹脂製のスペーサーと、
前記羽根と前記スペーサーとを貫通して支持する芯材と、
を備える、
請求項１から１０のいずれか一項に記載のルーバー構造。
【請求項１２】
前記スペーサーは筒状に形成され、
前記スペーサーの上部に前記下面の一部を嵌合可能な第１嵌合部が形成され、
前記スペーサーの下部に前記上面の一部を嵌合可能な第２嵌合部が形成されている、
請求項１１に記載のルーバー構造。
【請求項１３】
請求項１から１２のいずれか一項に記載のルーバー構造を備えた建築物であって、
前記ルーバー構造が窓の上部に設けられている、
建築物。
【発明の詳細な説明】
【技術分野】
【０００１】
本発明は、ルーバー構造及び建築物に関するものであって、特に採光に適したルーバー構造及び建築物に関する。
【背景技術】
【０００２】
従来から、室内に光を選択的に取り入れるため、建築物にはルーバーが設けられている。ルーバーは、羽根又は羽板と呼ばれる板状の部材を、枠体に隙間をあけて平行に複数並べて配置したものである。
【０００３】
例えば、特許文献１には、建物の壁に配置可能であって、外部の自然光を建物の内部に導入するための採光ルーバーユニット（ルーバー構造）が開示されている。特許文献１の採光ルーバーユニットは、箱型の筺体と、筺体に複数収納された概ね断面三角形状の羽根と、羽根の撓みを防止するために筺体の内部において各羽根の長手方向における所定の位置に設けられたルーバー支持部材と、を備えている。
【０００４】
特許文献２には、日光の低硬度成分が室内に入ることを遮断するlight shading curveと、入射した日光を反射するlight reflecting curveとlight redirecting slopeとを有する複数のslat（羽根）と、を備えたMini-Optical Light Shelf (MOLS) daylighting system（ルーバー構造）が開示されている。
【先行技術文献】
【特許文献】
【０００５】
【特許文献１】特開２０１４−０２０１３８号公報
【特許文献２】米国特許出願公開第２００３／０１１２５１８号明細書
【発明の概要】
【発明が解決しようとする課題】
【０００６】
しかしながら、特許文献１に開示されている採光ルーバーユニットは金属製であり、該採光ルーバーユニットでは、概ね断面三角形状のプロファイルを有する羽根の全ての表面が反射面である。そのため、室外からの光がそれぞれの羽根において室外に向く面によって反射され、この面から室外に向く光があり、室外から見たときの眩しさが生じるという問題があった。
【０００７】
また、特許文献２に開示されているルーバー構造では、light shading curveによって室内への日光の低硬度成分は遮断されるが、室外から見たときの眩しさの問題を本質的に解消することは困難であった。
【０００８】
上述の問題をふまえ、樹脂製の羽根の上面と下面において室内に向く部分とを鏡面シートで覆ったルーバー構造が提案されているが、室内から見たときの眩しさが生じるという問題があった。
【０００９】
本発明は、室外及び室内から見たとき、即ち入射光の進行方向の後方及び前方から見たときの眩しさをなくし、入射光を室内に採光可能なルーバー構造を提供する。
【課題を解決するための手段】
【００１０】
本発明のルーバー構造は、一方向に所定の間隔をあけて複数配置された羽根と、前記羽根を支持する支持部と、を備え、前記羽根の上面に上側曲面及び上側平面の双方又は一方を有し、前記羽根の下面に下側曲面及び下側平面の双方又は一方を有し、前記上側曲面又は前記上側平面は、入射光を鏡面反射させる第１鏡面反射面を有し、前記下側曲面又は前記下側平面は、前記下面において入射光の進行方向の前方の第１端部から前記進行方向の後方の所定の第１位置までの範囲に、入射光を拡散反射させる第１拡散反射面を有し、前記下側曲面又は前記下側平面は、前記下面において前記進行方向の後方の第２端部から前記進行方向の前方の所定の第２位置までの範囲に、入射光を拡散反射させる第２拡散反射面を有する。
【００１１】
上述の構成では、例えば建築物にルーバー構造が取り付けられた場合に、室外から室内に向けてルーバー構造に対して略水平に入射した入射光の一部、及び室外側上方から室内側下方に向けてルーバー構造に入射した入射光は、羽根同士の上面と下面との間の空間に捕捉される。前述の空間に捕捉された光は、上側曲面又は上側平面と下側曲面又は下側平面によって多重反射されながら、前述の空間を伝搬する。室内に向けて前述の空間を伝搬した光の一部は、第１鏡面反射面によって室内に出射され、結果として入射光が室内に取り込まれる。室内に向けて前述の空間を伝搬した光の残部は、第２拡散反射面によって方向性を持たずに拡散され、室内の執務者等に向かって進む眩しい光にならない。そのため、室内からルーバー構造を見上げても眩しさは感じられない。
一方、室外から室内に向けてルーバー構造に対して略水平に入射した入射光の一部、及び室外下方から室内上方に向けてルーバー構造に入射した入射光は、第２拡散反射面によって方向性を持たすに拡散され、所定の方向に進む眩しい光にならない。そのため、室外からルーバー構造を見上げても眩しさは感じられない。
【００１２】
本発明のルーバー構造では、前記第１位置と前記第２位置は互いに同じ位置にあってもよい。
【００１３】
上述の構成では、第１位置及び第２位置が互いに重なり、下面の略全体に拡散反射面が設けられるので、室内及び室外からルーバー構造を見上げたときの眩しさが抑えられ、且つ羽根近傍も明るくなる。
【００１４】
本発明のルーバー構造では、前記第１位置と前記第２位置は互いに異なる位置にあり、
前記下側曲面又は前記下側平面は、前記第１位置から前記第２位置までの範囲に、入射光を鏡面反射させる第２鏡面反射面を有してもよい。
【００１５】
上述の構成では、例えば室内及び室外からルーバー構造を見上げたときに視界に入る範囲に応じて、互いに離間する第１位置及び第２位置を決めれば、視界に入らない範囲が第２鏡面反射面で構成される。第１位置から第２位置までの範囲に第２鏡面反射面が設けられることによって、ルーバー構造に入射する入射光がより高い反射率で室内に採光される。
【００１６】
本発明のルーバー構造では、前記上側曲面又は前記上側平面の全体が前記第１鏡面反射面であってもよい。
【００１７】
上述の構成では、入射光が羽根同士の間の空間を伝搬する際に、この空間の下側に位置する上側曲面又は上側平面の全体が第１鏡面反射面で構成されるので、入射光が高い反射率で室内側上方に採光される。
【００１８】
本発明のルーバー構造では、前記上側曲面又は前記上側平面では、前記上面における入射光の進行方向の前方の第３端部から前記進行方向の後方の所定の第３位置までが前記進行方向の前方に向かうに従って上昇する第１上昇面として構成され、前記下側曲面又は前記下側平面では、前記第１端部から前記進行方向の後方の所定の第４位置までが前記進行方向の前方に向かうに従って上昇する第２上昇面として構成されていてもよい。
【００１９】
上述の構成では、第１上昇面及び第２上昇面が設けられることによって、入射光が伝搬する室内側が入射光の進行方向に対して上向きになるので、入射光の大部分が室内側上方に採光される。
【００２０】
本発明のルーバー構造では、前記羽根の上面に上側曲面を有し、前記羽根の下面に下側曲面及び下側平面を有し、前記上側曲面は、前記上面における前記第３端部から前記進行方向の後方の所定の第５位置に達し、下方に向けて凸状に湾曲する第１放物曲面と、前記第５位置から前記進行方向の後方の第４端部に達し、下方に向けて凸状に湾曲する第２放物曲面と、を有し、前記下側曲面は、前記第１端部が接続部を介して前記第３端部に接続され、前記第１端部から前記進行方向の後方の所定の第６位置に達し、前記第１端部から前記第６位置に向かうに従って前記第１放物曲面から離間しつつ上方に向けて凸状に湾曲する第３放物曲面であり、前記下側平面は、前記第６位置から前記第２端部に達する第１平面であり、前記第１放物曲面は、前記一方向に交差する仮想軸線を中心とした一方の放物曲面のうち頂点近傍の部分が切りかかれた曲面であり、前記第３放物曲面は、前記仮想軸線を中心として前記一方の放物曲面に対向する他方の放物曲面のうち頂点近傍の部分が切り欠かれた放物曲面を前記一方向に沿って平行移動させた曲面であり、前記第２放物曲面は、前記他方の放物曲面のうち頂点近傍の部分が切り欠かれた曲面の切り欠かれた側の端部を焦点とする放物曲面の一部であってもよい。
【００２１】
上述の構成では、例えば建築物にルーバー構造が取り付けられた場合に室外側上方から室内側下方に向けてルーバー構造に入射した入射光は、上側の羽根の第１平面と下側で隣り合う羽根の第２放物曲面との間の空間に捕捉される。第１平面と第２放物曲面との間の空間に捕捉された入射光は、第２放物曲面によって反射され、上側の羽根の第３放物曲面と下側の羽根の第１放物曲面との間の空間に進む。第３放物曲面と第１放物曲面との間の空間に進んだ光は、第１放物曲面又は第３放物曲面で反射され、適度に拡散しつつ、室内の天井側に取り込まれる。
一方、室外から室内に向けてルーバー構造に対して略水平に入射する入射光、及び室外側下方から室内側上方に向けてルーバー構造に入射する入射光は、鏡面反射シートが設けられずに非反射面である第１平面によって拡散反射される。第１平面で拡散反射された光は、所定の方向に進む眩しい光にならない。そのため、室外側の略水平な方向や室内側下方からルーバー構造を見ても眩しさは感じられない。
したがって、上述の構成によれば、第３放物曲面から室内に向く眩しい光や第１平面から室外に向く眩しい光が生じることなく、室内外の眩しさが本質的に解消される。
【００２２】
本発明のルーバー構造では、前記羽根は、前記上面及び前記下面を有する樹脂製の羽本体を備え、前記上側曲面又は前記上側平面の前記羽根本体に鏡面反射シートが設けられ、前記第１拡散反射面及び前記第２拡散反射面の前記羽根本体に拡散反射シートが設けられていてもよい。
【００２３】
上述の構成では、羽根が樹脂製であるので、大型の建築物にルーバー構造を取り付けるために羽根が長尺化しても、金属製の羽根に比べて重量が急増せず、ルーバー構造の軽量化が図られ、羽根の取り扱いが容易になる。また、羽根の形状の設計をする際にも自由度が大きくなり、押出成形等の製造方法を採用することができ、羽根を製造し易くなる。また、樹脂製の羽根本体に鏡面反射シートを設けることによって第１鏡面反射面や第１拡散反射面及び第２拡散反射面を容易に形成し、鏡面反射シートや拡散反射シートを設ける位置の調整も可能になる。
【００２４】
本発明のルーバー構造では、前記鏡面反射シートは、前記入射光の中心波長において８０％以上の鏡面反射率を有してもよい。
【００２５】
上述の構成では、例えば室外からルーバー構造に入射した入射光が室内に向けて伝搬する際に、鏡面反射シートが用いられていない従来のルーバー構造に比べて、上側曲面又は上側平面と下側曲面又は下側平面で反射されて室内に採光される光量が高まる。
【００２６】
本発明のルーバー構造では、前記羽根本体は、アクリロニトリル・ブチルアクリレート・スチレンの重合体と、アクリルニトリル・エチレンプリピレン・スチレンの重合体との混合物からなる樹脂で構成されていてもよい。
【００２７】
上述の構成では、上述の樹脂は、日光の中心波長に近い５５０ｎｍの波長において鏡面反射率が低く、拡散反射率が高く、熱特性に優れ、且つ加工しやすいという優れた特徴を有する。このような特徴を有する樹脂で羽根本体が形成されれば、第１鏡面反射面や第２鏡面反射面にあたる部分に例えば鏡面反射シートを設け、第１拡散反射面及び第２拡散反射面にあたる部分は羽根本体を露出させることができる。また、羽根本体を製造し易くなる。
【００２８】
本発明のルーバー構造では、前記羽根は中空体で構成されていてもよい。
【００２９】
上述の構成では、羽根を押出成形によって製造可能になる。このことによって、長尺な羽根が精度良く、且つ容易に製造される。
【００３０】
本発明のルーバー構造では、前記支持部は、前記羽根同士の間に配置された樹脂製のスペーサーと、前記羽根と前記スペーサーとを貫通して支持する芯材と、を備えてもよい。
【００３１】
上述の構成では、羽根がスペーサー及び芯材によって支持されているので、大型の枠体等で支持されている従来のルーバー構造に比べて軽量化が図られる。また、上述の構成によれば、スペーサーによって羽根同士が所定の間隔をあけた状態で安定して配置される。さらに、上述の構成によれば、羽根と同様に、スペーサーの設計自由度が大きく、押出成形によってスペーサーを製造し易くなる。
【００３２】
本発明のルーバー構造では、前記スペーサーは筒状に形成され、前記スペーサーの上部に前記下面の一部を嵌合可能な第１嵌合部が形成され、前記スペーサーの下部に前記上面の一部を嵌合可能な第２嵌合部が形成されていてもよい。
【００３３】
上述の構成では、羽根同士の間にスペーサーを配置する際に、スペーサーに対して上側の羽根の下面の一部が第１嵌合部に嵌合し、スペーサーに対して下側の羽根の上面の一部が第２嵌合部に嵌合する。このような構成によれば、羽根同士の相対位置が精度良く固定されるので、上下に隣り合う羽根の下面と上面との相対位置も精度良く固定され、良好な採光がなされる。
【００３４】
本発明の建築物は、上述のルーバー構造を備えた建築物であって、前記ルーバー構造が窓の上部に設けられている。
【００３５】
上述の構成では、室内及び室外から窓の上部を見上げたときの眩しさを本質的になくし、室内への良好な採光がなされる。
【発明の効果】
【００３６】
本発明によれば、室外及び室内から見たとき、即ち入射光の進行方向の後方及び前方から見たときのルーバー構造の眩しさをなくし、入射光を室内に採光できる。
【図面の簡単な説明】
【００３７】
【図１】本発明を適用した一実施形態のルーバー構造と該ルーバー構造が設置された建築物の一部を示す断面図である。
【図２】図１に示すルーバー構造を室外側から見た正面図である。
【図３】図１に示すルーバー構造を図２に示すＸ−Ｘ線で矢視した断面図である。
【図４】図１に示すルーバー構造の羽根の形状を説明するための概略図である。
【図５】図１に示すルーバー構造の変形例を説明するための側面図である。
【図６】図１に示すルーバー構造の羽根の変形例の断面図である。
【図７】図１に示すルーバー構造の羽根の別の変形例の断面図である。
【発明を実施するための形態】
【００３８】
以下、本発明を適用したルーバー構造の実施形態について、図面を参照して説明する。
【００３９】
図１に示すように、本実施形態のルーバー構造１０は、高層ビル等の建築物１０１の外壁Ｗに平行するＤ１方向（一方向）に沿って、窓Ａの上部に設けられている。ルーバー構造１０がこのように配置されていることによって、室外側上方から窓Ａに照射された光は、ルーバー構造１０に取り込まれる。
【００４０】
建築物１０１は、Ｄ１方向に沿って、仕切板２で区画された複数の階層Ｌを有する。仕切板２の上面には、間隔を空けて床板８が設けられている。それぞれの階層Ｌは、Ｄ１方向に沿って、天井板６により居室Ｉと天井空間Ｔとに区画されている。建築物１０１の外壁Ｗ及びその近傍には、必要に応じて、方向Ｄ１に沿った板面を有するガラス板や、ガラス板同士で挟まれた空間が設けられている。建築物１０１では、例えばいわゆるダブルスキンカーテンウォール構造が採用されている。
【００４１】
以下では、Ｄ１方向及び壁面Ｗに直交するＤ２方向において、外壁Ｗに対して居室Ｉ及び天井空間Ｔが形成されている空間を「室内」とし、外壁Ｗに対して居室Ｉ及び天井空間Ｔが形成されている側を「室内側」とする。一方、外壁Ｗに対して室内とは反対にある空間を「室外」とし、外壁Ｗに対して室内とは反対側を「室外側」とする。
【００４２】
図１に示す建築物１０１の構造及び上述の説明は、ルーバー構造１０を取り付ける建築物の一例である。ルーバー構造１０は、日光等の光が室外から入射可能な建築物であれば取り付け可能であって、このような建築物は建築物１０１に限定されない。
【００４３】
図２に示すように、ルーバー構造１０は、Ｄ１方向に所定の間隔をあけて複数配置された羽根１２と、複数の羽根１２を支持する支持部１４と、を備えている。
【００４４】
図３に示すように、羽根１２は、Ｄ２方向に沿った断面視において概ね三角形状を有する羽根本体１１で構成されている。羽根１２の上面７１は、上側曲面５１を有する。上面７１には、上側曲面５１として、第１放物曲面２１と、第２放物曲面２２が設けられている。第１放物曲面２１は、上面７１における入射光の進行方向の前方の端部（第３端部）７２から入射光の進行方向の後方の所定の位置（第５位置）７３に達し、下方に向けて凸状に湾曲する面である。第２放物曲面２２は、位置７３から上面７１における入射光の進行方向の後方の端部（第４端部）７４に達し、下方に向けて凸状に湾曲する面である。
【００４５】
本明細書において、入射光の進行方向の前方とは、室外からの入射光がＤ２方向に沿って進行したときの前方、即ち本実施形態では室内側を意味する。また、入射光の進行方向の後方とは、室外からの入射光がＤ２方向に沿って進行したときの後方、即ち本実施形態では室外側を意味する。
【００４６】
羽根１２の下面８１は、下側曲面５３及び下側平面５４を有する。下面８１には、下側曲面５３として、第３放物曲面２３が設けられている。下面８１における入射光の進行方向の前方の端部（第１端部）８２は、接続部２６を介して端部７２に接続されている。第３放物曲面２３は、端部８２から入射光の進行方向の後方の所定の位置（第６位置）８３に達し、端部８２から位置８３に向かうに従って第１放物曲面２１から離間しつつ、上方に向けて凸状に湾曲する面である。
【００４７】
下面８１には、下側平面５４として、第１平面２４が設けられている。下面８１における入射光の進行方向の後方の端部（第２端部）８４は、接続部２５を介して端部７４に接続されている。第１平面２４は、位置８３から端部８４に達し、入射光の進行方向の後方から前方に向かうに従って下降する面である。
【００４８】
上側曲面５１では、端部７２から入射光の進行方向の後方の所定の位置（第３位置）７５までは、進行方向の後方から前方に向かいに従って上昇する第１上昇面９１になっている。下側曲面５３では、端部８２から入射光の進行方向の後方の所定の位置（第４位置）８９までは、進行方向の後方から前方に向かいに従って上昇する第２上昇面９２になっている。
【００４９】
第１放物曲面２１と第２放物曲面２２をなす羽根本体１１には、鏡面反射シート２８が設けられている。即ち、第１放物曲面２１及び第２放物曲面２２は、室外側上方から窓Ａに照射された光を高い反射率で鏡面反射させる第１鏡面反射面６１である。
【００５０】
一方、第３放物曲面２３と第１平面２４をなす羽根本体１１には、拡散反射シート２９が設けられている。即ち、第３放物曲面２３及び第１平面２４は、入射光を、方向性を持たせずに拡散反射させる拡散反射面である。拡散反射シート２９が設けられた第３放物曲面２３のように、室内側下方に向き、且つ入射光を前述のように拡散反射させる面は、第１拡散反射面６６になっている。拡散反射シート２９が設けられた第１平面２４のように、室外側下方に向き、且つ入射光を前述のように拡散反射させる面は、第２拡散反射面６７になっている。
【００５１】
図３では、わかりやすく示すために、鏡面反射シート２８を第１放物曲面２１及び第２放物曲面２２から僅かに離間した位置に図示しているが、鏡面反射シート２８は第１放物曲面２１及び第２放物曲面２２に密着している。同様に、拡散反射シート２９を第３放物曲面２３及び第１平面から僅かに離間した位置に図示しているが、拡散反射シート２９は第３放物曲面２３及び第１平面２４に密着している。
【００５２】
鏡面反射シート２８は、第２放物曲面２２と、第１放物曲面２１及び接続部３６の上面に分けて設けられている。また、拡散反射シート２９は、接続部２６の下面及び第３放物曲面２３と、第１平面２４に分けて設けられている。言い換えれば、接続部２５，２６の側面と、接続部３８の下面と、接続部３６の上面には、鏡面反射シート２８や拡散反射シート２９が設けられていない。このように鏡面反射シート２８や拡散反射シート２９が配置されることによって、鏡面反射シート２８や拡散反射シート２９の端部が羽根本体１１からはみ出す可能性がなく、鏡面反射シート２８や拡散反射シート２９の剥がれが確実に防止される。
【００５３】
上述の羽根１２では、第２放物曲面２２が日光等のように室外側上方から室内側下方に向かって窓Ａに入射する入射光３０１を捕捉する役割を担っている。第１放物曲面２１及び第３放物曲面２３は、第２放物曲面２２で捕捉されつつ反射された光を室内側上方に向けて出射する役割を担っている、第１平面２４は、室外から室内に向けてルーバー構造１０に対して略水平に入射する入射光３０２、及び室外側下方から室内側上方に向けてルーバー構造１０に入射する入射光３０３を拡散させる役割を担っている。
【００５４】
第１放物曲面２１と、第２放物曲面２２、第３放物曲面２３及び第１平面２４のそれぞれが上述の役割を果たせば、それぞれの面の詳細な形状やプロファイルは特に限定されない。上述の役割を良好に果たす好適な面の形状及びプロファイルの一例が、日本国特許第５９３２８２３号公報に開示されている。図３には、日本国特許第５９３２８２３号公報に開示されている羽根１２の上面７１及び下面８１の形状の概略が開示されている。
【００５５】
図４は、上述した好適な形状を有する羽根１２Ａの第１放物曲面２１、第２放物曲面２２、第３放物曲面２３及び第１平面２４を示している。図４では、第１放物曲面２１、第２放物曲面２２、第３放物曲面２３及び第１平面２４以外の羽根１２Ａの構成の図示は省略されている。
【００５６】
図４に示すように、第１放物曲面２１は、Ｄ１方向に沿う仮想平面Ｐ１に対して室内側上方から室外側下方に向けて交差する仮想光軸線（仮想軸線）Ｊ２を中心軸とした一方の放物曲面３１（即ち、下方の放物曲面）のうち曲面の頂点近傍（図４の点線ＤＬ１）が切り欠かれた曲面である。第３放物曲面２３は、仮想光軸線Ｊ２を中心として一方の放物曲面３１に対向する他方の仮想放物曲面（他方の放物曲面、即ち、図４において二点鎖線で示されている曲面）３２のうち曲面の頂点Ｃ１の近傍（即ち、図４の点線ＤＬ２）が切り欠かれた曲面の室内側の端部３４を、端部７２の下方まで平行移動させたものである。第３放物曲面２３は、仮想放物曲面３２に平行な放物曲面である。仮想放物曲面３２は、第１放物曲面２１を有する羽根１２Ａの上方に配置されている羽根１２Ｂの第３放物曲面２３に重なる。羽根１２Ａの第１放物曲面２１と羽根１２Ｂの第３放物曲面２３は、仮想光軸線Ｊ２を光軸とする集光空間Ｓ２を形成している。
【００５７】
第２放物曲面２２は、仮想放物曲面３２の室外側の端部（他方の放物曲面のうち頂点近傍の部分が切り欠かれた曲面の切り欠かれた側の端部）３５を焦点とする放物曲面３３（即ち、図４の点線）の一部であり、放物曲面３３の頂点Ｃ２から位置７３までが切り欠かれた曲面である。すなわち、羽根１２Ａの第２放物曲面２２は、仮想光軸線Ｊ３を光軸とする集光空間Ｓ１を形成している。端部８３は、放物曲面３３の焦点に位置している。
【００５８】
端部７２の位置は、入射光３０１の方向、即ち仮想軸線Ｊ１に対する入射光３０１の入射角を考慮して適宜設定されている。端部８４は、端部７４から羽根本体１１の材質の最小加工精度に相当する寸法で離間した位置にある。
【００５９】
上述したそれぞれの面の好適な形状や設計方針からもわかるように、第１放物曲面２１、第２放物曲面２２、第３放物曲面２３及び第１平面２４は、入射光３０１，３０２，３０３を所望のように進行又は拡散させるように、互いに相対関係を有して配置される。第１放物曲面２１、第２放物曲面２２、第３放物曲面２３及び第１平面２４のそれぞれの詳細な形状は、入射光３０１，３０２，３０３を所望のように進行又は拡散させるように、適切に設計されている。
【００６０】
羽根本体１１は、樹脂製である。羽根本体１１を構成する樹脂としては、特に限定されないが、軽量性及び熱特性に優れ、加工しやすいという点から、例えばアクリロニトリル・ブチルアクリレート・スチレンの重合体と、アクリロニトリル・エチレンプリピレン・スチレンの重合体との混合物からなる樹脂等が挙げられる。
【００６１】
図３に示すように、羽根本体１１は、上述の樹脂からなる中空体であることが好ましい。羽根本体１１が中空体であることにより、羽根１２の軽量化が促進される。羽根本体１１の外周部分の厚みは、羽根本体１１を構成する樹脂の加工特性及び加工後の強度等を考慮して適切に設定されている。例えば、羽根本体１１を構成する樹脂がアクリロニトリル・ブチルアクリレート・スチレンの重合体と、アクリロニトリル・エチレンプリピレン・スチレンの重合体との混合物からなる樹脂である場合、羽根本体１１の厚みは２ｍｍ〜３ｍｍの範囲内であることが好ましい。
【００６２】
接続部２６は、端部７２と端部８２とを、羽根本体１１を構成する樹脂の加工特性及び加工後の強度等を考慮した好適な厚みをもって接続するためのものである。
【００６３】
羽根本体１１は、例えば羽根本体１１の断面形状と同様の流路を有する金型を用いた押出成形によって容易に製造可能である。
【００６４】
鏡面反射シート２８の種類は、特に限定されず、公知の鏡面反射シートであってもよい。鏡面反射シート２８の鏡面反射率は、ルーバー構造１０に入射する光の波長帯において、８０％以上であることが好ましく、８３％以上であることがより好ましい。また、鏡面反射シート２８の拡散反射率は、ルーバー構造１０に入射する光の波長帯において、５％以下であることが好ましく、３％以下であることがより好ましい。特に、鏡面反射シート２８は、ルーバー構造１０に入射する光の中心波長において８０％以上の鏡面反射率を有するものであることが好ましい。鏡面反射シート２８は、ルーバー構造１０に入射する光の中心波長において８０％以上の鏡面反射率を有する金属膜を含んでいることが好ましい。また、鏡面反射シート２８としては、２０ＭＰａ以上の破断強度を有するものが好ましい。鏡面反射シート２８は、優れた伸び特性を有することによって、第１放物曲面２１、第２放物曲面２２のようにいずれも凹状に湾曲する曲面に設けられた際に、しわやたるみが生じない状態でこれらの曲面に対して良好に密着する。このことによって、ルーバー構造１０の光学特性が安定する。
【００６５】
好適な鏡面反射シート２８としては、例えばアルミニウム膜を含む光輝フィルム等が挙げられる。好適な光輝フィルムとしては、日光の中心波長に近い５５０ｎｍの波長において鏡面反射率が低く、拡散反射率が高く、軽量性及び熱特性に優れ、加工しやすいという点から、例えば市販の鏡面反射用フィルムであるダイヤラック（登録商標、販売元：日本プライ株式会社）、“ＪＢＲＩＧＨＴ”シリーズ（販売元：日本プライ株式会社）等が挙げられる。光輝フィルムの一例としては、底面側から、例えば厚み１５０μｍのＡＢＳ（アクリロニトリル、ブタジエン、スチレンの共重合体）のベースフィルム層と、厚み１２μｍの接着層と、例えばアルミニウムからなる金属光輝層と、耐候性ＰＥＴ（ポリエチレンテレフタレート）と、コート層と、工程用ＰＥＴと、を積層したものが挙げられる。このような構成を有する光輝フィルムによれば、波長５５０ｎｍにおいて鏡面反射率が８６．２７％程度（鏡面反射度合は９９．９９％）に達し、拡散反射率は０．０１％程度に抑えられる。また、前述の構成を有する光輝フィルムは、可視光域の４００ｎｍ〜７００ｎｍの波長の光に対し、８２％以上の高い鏡面反射率（鏡面反射度合９９．９０％以上）を有する。なお、金属光輝層は、アルミニウムのほか、銅、ニッケル、クロム、チタン、ステンレス、コバルト、モリブデン、ジルコニウム、タングステン、パラジウム、インジウム、スズ、金、銀を含む光輝層であってもよい。
【００６６】
拡散反射シート２９の種類は、特に限定されず、公知の拡散反射シートであってもよい。
【００６７】
鏡面反射シート２８を羽根本体１１の第１放物曲面２１、第２放物曲面２２、第３放物曲面２３及び第１平面２４に設ける方法は、特に限定されないが、鏡面反射シート２８、拡散反射シート２９が耐熱性を有する、又は優れた熱特性を有する場合は、羽根本体１１の押出成形と並行して押出成形によって羽根本体１１の所定の面に鏡面反射シート２８や拡散反射シート２９を設けることができる。例えば、羽根本体１１、鏡面反射シート２８及び拡散反射シート２９の断面形状と同様の断面形状で形成された流路を有する金型を用いた押出成形によって、鏡面反射シート２８及び拡散反射シート２９を容易に成形し、羽根本体１１の所定の面上に設けることができる。
【００６８】
なお、鏡面反射シート２８を、成形後の羽根本体１１の第１放物曲面２１及び第２放物曲面２２に、例えば接着剤を用いる等の公知の貼着方法で貼り付けてもよい。同様に、拡散反射シート２９を、成形後の羽根本体１１の第３放物曲面２３及び第１平面２４に、例えば接着剤を用いる等の公知の貼着方法で貼り付けてもよい。
【００６９】
図２に示すように、複数の羽根１２を支持する支持部１４は、Ｄ１方向に隣り合う羽根１２，１２同士の間に配置された樹脂製のスペーサー１５と、複数の羽根１２と複数のスペーサー１５とを貫通して支持する芯材１６と、を備えている。
【００７０】
スペーサー１５は、Ｄ１方向に隣り合う羽根１２，１２同士の相対位置を保持するための部材である。図３に示すように、スペーサー１５は、筒状に形成されており、筒状部材の軸方向に沿って、芯材１６が貫通可能な貫通孔１７が形成されている。貫通孔１７の内径は、芯材１６の外径より僅かに大きい。スペーサー１５の上部には、接続部３８や第３放物曲面２３の室外側の一部を嵌合可能な第１嵌合部４１が形成されている。スペーサー１５の下部には、接続部３６、第２放物曲面２２の室内側の端部及び第１放物曲面２１の室外側の一部に嵌合可能な第２嵌合部４２が形成されている。
【００７１】
スペーサー１５は、軸芯、即ち仮想軸線Ｊ１を中心として径方向の内側に筒状の軸部１８を有し、軸部１８の径方向の外側にスペース保持部１９を有する。軸部１８には、貫通孔１７が形成されている。スペース保持部１９の上部の第１嵌合部４１は、接続部３６とその近傍の第３放物曲面２３、第１平面２４と同一の形状に切り欠かれている。スペース保持部１９の下部の第２嵌合部４２は、接続部３８とその近傍の第１放物曲面２１、第２放物曲面２２の形状と同一の形状に切り欠かれている。
【００７２】
羽根１２の第１放物曲面２１の室外側の部分には、接続部３６に第１嵌合部４１を嵌合させた際に、軸部１８の下部を羽根１２の内部に挿通可能な貫通孔４３が形成されている。羽根１２の第３放物曲面２３の室外側の部分には、接続部３８を第２嵌合部４２に嵌合させた際に、軸部１８の上部を羽根１２の内部に挿通可能な貫通孔４４が形成されている。
【００７３】
上述した部材同士の嵌合状態及び挿通状態によって、隣り合う羽根１２同士の相対位置が高い精度で設計通りに固定されている。例えば、羽根１２のＤ２方向の幅寸法が６０．９６ｍｍであり、Ｄ１方向に隣り合う羽根１２，１２のそれぞれの端部７４同士の直線距離が２６．４５ｍｍである場合を想定する。Ｄ１方向に隣り合う羽根１２，１２のうち、上側の羽根１２の接続部３８と下側の羽根１２の接続部３６との直線距離Ｌａは７．５３ｍｍに保持されることが好ましい。スペーサー１５が上述のように構成されていることによって、正確さが求められる羽根１２，１２同士の相対位置が良好に固定される。
【００７４】
スペーサー１５を構成する樹脂は、特に限定されない。スペーサー１５は、ルーバー構造１０に入射する光の通過領域に配置されることから、ルーバー構造１０に入射する光の波長帯域に対して透明であって、軽量であるものが好ましい。このような樹脂としては、例えばアクリルや、メチルアクリレートとメチルメタクリレートとの共重合体に残留モノマーとしてのメタクリル酸メチルとを混合したもの等が挙げられる。このような混合物には、例えば、市販のパラペット（登録商標、販売製造元：株式会社クラレ）がある。
【００７５】
スペーサー１５は、例えば押出成形によって容易に製造可能である。
【００７６】
芯材１６は、棒状部材で構成されている。芯材１６の素材は、特に限定されないが、複数の羽根１２及び複数のスペーサー１５を支持可能な強度を有し、軽量なものが好ましい。このような芯材１６の素材としては、例えば、アルミニウムやステンレス（ＳＵＳ）等が挙げられる。
【００７７】
以上説明した本実施形態のルーバー構造１０では、上側曲面５１は第１鏡面反射面６１を有し、下側曲面５３は端部８２から位置８７に達する第１拡散反射面６６を有し、下側平面５４は端部８４から位置８８に達する第２拡散反射面６７を有する。ルーバー構造１０によれば、例えば窓Ａに取り付けられた場合に、入射光２０１の略全部及び入射光２０２の一部は、上側曲面５１と下側平面５４との間の空間Ｓ１に捕捉される。空間Ｓ１に捕捉された光は、上側曲面５１と下側曲面５３及び下側平面５４によって多重反射されながら、空間Ｓ１を伝搬する。室内に向けて空間Ｓ１を伝搬した光の一部は、第１鏡面反射面６１によって室内に出射され、結果として主に入射光２０１が室内の執務者より上方に取り込まれるので、室内の上部を明るく照らし、室内の執務者等に向かって進む眩しい光にはならない。室内に向けて空間Ｓ１を伝搬した入射光２０１の残部は、第１拡散反射面６６によって方向性を持たずに拡散されるので、室内の執務者等に向かって進む眩しい光にならない。そのため、室内からルーバー構造１０を見上げても眩しさは感じられない。つまり、ルーバー構造１０のうち、室内において下方に向く面が、端部８２から入射光の進行方向の後方の所定の位置（第１位置）８７に達する第１拡散反射面６６であるため、室内でルーバー構造１０を見上げても眩しくない。
【００７８】
一方、入射光２０２，２０３の一部は、第２拡散反射面６７によって方向性を持たすに拡散され、所定の方向に進む眩しい光にならない。そのため、室外からルーバー構造１０を見上げても眩しさは感じられない。つまり、ルーバー構造１０のうち、室外において下方に向く面は、端部８４から入射光の進行方向の前方の所定の位置（第２位置）８８に達する第２拡散反射面６７であるため、室内でルーバー構造１０を見上げても眩しくない。
【００７９】
したがって、ルーバー構造１０によれば、室外及び室内から見たとき、即ち入射光３０１，３０２，３０３の進行方向の後方及び前方から見たときの眩しさをなくし、主に入射光３０１を室内に採光できる。
【００８０】
本実施形態のルーバー構造１０では、位置８７，８８は互いに同じ位置にある。厳密には、位置８７，８８は接続部３８を介して僅かに離間している。図４を参照するとわかるように、位置８７，８８は、光学的に互いに同じ位置を示し、羽根本体１１の製造時に羽根本体１１の材質の最小加工精度に相当する寸法の接続部３８が介在することで離間している。本発明では、接続部３８のみが介在して位置８７，８８が互いに離間している状態は、位置８７，８８が互いに同じ位置にある状態に含まれるものとする。
【００８１】
ルーバー構造１０によれば、下面８１の略全体に拡散反射面が設けられるので、室内及び室外からルーバー構造を見上げたときの眩しさが抑えられ、且つ下面８１での拡散光によって羽根近傍も明るくなる。
【００８２】
本実施形態のルーバー構造１０では、上側曲面５１の全体が前記第１鏡面反射面６１であるため、入射光３０１が空間Ｓ１を伝搬する際に、空間Ｓ１の下側に位置する上側曲面５１の全体が第１鏡面反射面６１で構成され、入射光３０１が高い反射率で室内側上方に採光される。
【００８３】
本実施形態のルーバー構造１０では、上側曲面５１において、端部７２から位置７５までが第１上昇面９１で構成されている。下側曲面５３において、端部８２から位置８９までが第２上昇面９２で構成されている。このことによって、集光空間Ｓ１が入射光の進行方向に対して上向きになる。このことによって、入射光の大部分が室内側上方に採光される。
【００８４】
本実施形態のルーバー構造１０では、上面７１に上側曲面５１を有し、下面８１に下側曲面５３及び下側平面５４を有する。上側曲面５１は、第１放物曲面２１と、第２放物曲面２２と、を有する。下側曲面５３は第３放物曲面２３であり、下側平面５４は第１平面２４である。このような構成では、入射光３０１及び入射光３０２の一部は、空間Ｓ１に捕捉される。空間Ｓ１に捕捉された入射光３０１は、第２放物曲面２２及び第１平面２４によって反射され、集光空間Ｓ２に進む。集光空間Ｓ２に進んだ光は、第１放物曲面２１及び第３放物曲面２３で反射され、適度に拡散しつつ、室内の天井側に取り込まれる。一方、入射光３０２の残部及び入射光３０３は、第１平面２４によって拡散反射される。第１平面２４で拡散反射された光は、所定の方向に進む眩しい光にならない。そのため、室外側の略水平な方向や室内側下方からルーバー構造１０を見たときの眩しさを抑えることができる。第３放物曲面２３が第１拡散反射面６６であり、第１平面２４が第２拡散反射面６７であるので、第３放物曲面２３から室内に向く眩しい光や第１平面２４から室外に向く眩しい光を生じさせず、室内及び室外の眩しさを本質的に解消できる。
【００８５】
本実施形態のルーバー構造１０では、羽根１２は樹脂製の羽根本体１１を備え、第１鏡面反射面（上側曲面）６１の羽根本体１１に鏡面反射シート２８が設けられ、第１拡散反射面６６及び第２拡散反射面６７の羽根本体１１に拡散反射シート２９が設けられている。このことによって、大型の建築物１０１にルーバー構造１０を取り付ける場合でも、金属製の羽根に比べて羽根１２の重量を抑え、ルーバー構造１０の軽量化を図ることができる。また、羽根１２の取り扱いを容易にし、羽根１２の形状の設計の自由度を大きくし、押出成形等の製造方法を採用して羽根１２を製造できる。また、羽根本体１１に鏡面反射シート２８や拡散反射シート２９を設けることによって、第１鏡面反射面６１、第１拡散反射面６６及び第２拡散反射面６７を容易に形成し、羽根本体１１における鏡面反射シート２８及び拡散反射シート２９を設ける位置を調整できる。
【００８６】
本実施形態のルーバー構造１０では、鏡面反射シート２８は、入射光の中心波長において８０％以上の鏡面反射率を有している。このようなルーバー構造１０によれば、例えば入射光３０１，３０２が室内に向けて伝搬する際に、鏡面反射率が８０％未満の鏡面反射シートが用いられている従来のルーバー構造又は鏡面反射シートが用いられていない従来のルーバー構造に比べて、上側曲面５１と下側曲面５３及び下側平面５４で反射されて室内に採光される光量を高めることができる。
【００８７】
本実施形態のルーバー構造１０では、羽根本体１１は、例えばアクリロニトリル・ブチルアクリレート・スチレンの重合体と、アクリルニトリル・エチレンプリピレン・スチレンの重合体との混合物からなる樹脂で構成されている。前述の樹脂は、日光の中心波長に近い５５０ｎｍの波長において鏡面反射率が低く、拡散反射率が高く、熱特性に優れ、且つ加工しやすいという優れた特徴を有する。このような特徴を有する樹脂で羽根本体１１が形成されれば、羽根本体１１を押出成形によって容易に製造できる。また、第１鏡面反射面６１にあたる羽根本体１１の部分に鏡面反射シート２８を設け、第１拡散反射面６６及び第２拡散反射面６７にあたる羽根本体１１の部分は拡散反射シート２９を設けずに露出させる、或いはシボ加工することができる。
【００８８】
本実施形態のルーバー構造１０によれば、羽根本体（羽根）１１は中空体で構成されているので、押出成形によって製造できる。このことによって、長尺な羽根１２を精度良く、且つ容易に製造できる。
【００８９】
本実施形態のルーバー構造１０によれば、支持部１４は、スペーサー１５と、芯材１６と、を備えている。このようなルーバー構造１０では、羽根１２がスペーサー１５及び芯材１６のみによって支持されるので、羽根が大型の枠体等で支持されている従来のルーバー構造に比べて軽量化を図ることができる。また、上述の構成によれば、羽根１２と同様に、スペーサー１５の設計自由度を大きくし、押出成形によってスペーサー１５を容易に製造できる。
【００９０】
本実施形態のルーバー構造１０によれば、スペーサー１５は筒状に形成され、スペーサー１５の上部に第１嵌合部４１が形成され、スペーサー１５の下部に第２嵌合部４２が形成されている。ルーバー構造１０によれば、羽根１２同士の間にスペーサー１５を配置する際に、スペーサー１５に対して上側の羽根１２Ｂの下面８１の一部が第１嵌合部４１に嵌合し、スペーサー１５に対して下側の羽根１２Ａの上面７１の一部が第２嵌合部４２に嵌合する。このような構成によって、羽根１２Ａ，１２Ｂ同士の相対位置を精度良く固定し、上下に隣り合う羽根１２の下面８１と上面７１との相対位置を精度良く固定し、入射光３０１を所望の設計通りに採光できる。
【００９１】
本実施形態の建築物１０１は、窓Ａの上部にルーバー構造１０を備えている。建築物１０１では、室内及び室外から窓Ａの上部を見上げたときの眩しさを本質的になくし、室内への良好な採光を行うことができる。
【００９２】
以上、本発明の好ましい実施形態について詳述したが、本発明は上述の実施形態に限定されない。本発明は、特許請求の範囲内に記載された本発明の要旨の範囲内において、変更可能である。
【００９３】
例えば、上述の実施形態では、図３に示すように、拡散反射シート２９は第３放物曲面２３の略全体に設けられている。しかしながら、拡散反射シート２９は、必ずしも第３放物曲面２３の全体に設けられていなくてもよい。図５に示すように、室内から見上げたときにルーバー構造１０の眩しさを抑える観点では、拡散反射シート２９は、少なくとも室内の執務者４０５の視界４００の範囲内に露出する第３放物曲面２３に設けられていればよい。その場合、位置８７は、執務者４０５の眼の中心４１０と対象になっている羽根１２の下方の羽根１２の接続部２６における入射光の進行方向の前方の先端とを結ぶ仮想線の延長線と第３放物曲面２３との交点に移動する。但し、最も下側に配置された羽根１２Ｃでは、下方に不透明な構造物がない限り、図３に示す羽根１２と同様に、拡散反射シート２９は第３放物曲面２３の略全体に設けられていることが好ましい。位置８７は、執務者がＤ２方向においてルーバー構造１０から最も離れた内壁Ｎに隣り合ってルーバー構造１０を見上げたときの羽根１２の形状、Ｄ２方向における接続部２６の先端と眼の中心４１０との離間距離、Ｄ１方向における接続部３８の下端と眼の中心４１０との離間距離、Ｄ１方向における上下の羽根１２Ａ，１２Ｂの接続部２６の先端同士の離間距離、居室Ｉの大きさ等を勘案し、適宜決められる。なお、図５では、位置８７の決め方についてわかりやすく説明するために、ルーバー構造１０の要部のみが図示されている。
【００９４】
図５の羽根１２Ａのみに示すように、拡散反射シート２９は、必ずしも第１平面２４の全体に設けられていなくてもよい。拡散反射シート２９は、少なくとも室外の観察者の視野の範囲内に露出する第１平面２４に設けられていればよい。位置８８は、観察者が室外からルーバー構造１０を見上げたときの羽根１２の形状、Ｄ２方向における接続部２５の先端と眼の中心との離間距離、Ｄ１方向における接続部３８の下端と眼の中心との離間距離、Ｄ１方向における上下の羽根１２Ａ，１２Ｂの接続部２６の先端同士の離間距離、建築物１０１の大きさ等を勘案し、適宜決められる。
【００９５】
上述のように視界４００をふまえて設計した場合のように、位置８７と位置８８が互いに異なる位置にあってもよい。その場合、図５に示すように、下側曲面５３及び下側平面５４は、位置８７から位置８８までの範囲に、入射光を鏡面反射させる第２鏡面反射面６２を有してもよい。このような構成では、下側曲面５３及び下側平面５４において視界４００に入らない範囲が第２鏡面反射面６２で構成される。このことによって、ルーバー構造１０に入射する入射光がより高い反射率で室内に採光される。
【００９６】
また、上述の実施形態では、上面７１は上側曲面５１を有し、下面８１は下側曲面５３及び下側平面５４を有する。しかしながら、入射光３０１，３０２，３０３を伝搬させる方向、室内に採光される光量、羽根１２の形状は羽根本体１１の製造方法等に応じて、適宜設計されている。
【００９７】
例えば、図６に示すように、羽根本体１１−２は、上面７１に上側平面５２のみを有し、下面８１に２つの下側曲面５３−１，５３−２を有してもよい。別の変形例として、図７に示すように、羽根本体１１−３は、上面７１に上側平面５２のみを有し、下面８１に２つの下側平面５４−１，５４−２を有してもよい。図６及び図７に示す羽根本体１１の形状は、本発明の羽根の形状を構成する羽根本体の形状の一例である。本発明では、羽根の上面が上側曲面及び上側平面の双方又は一方を有し、羽根の下面が下側曲面及び下側平面の双方又は一方を有していればよく、羽根の形状は何通りも考えられる。
【００９８】
また、図１には、建築物１０１としてダブルスキンカーテンウォール構造が多く採用されている高層ビルを例示し、ルーバー構造１０が外壁Ｗの室内側、且つ居室Ｉの上部に取り付けられている。しかしながら、本発明のルーバー構造は、特許文献１に開示されている構成例のように箱体（筐体）等を必要とせず、入射光の進行方向において羽根１２の前方及び後方が何らかの構造物で塞がれることはないので、採光に加えて採風も行うことができる。したがって、ルーバー構造１０は、高層又は大型の建築物に限定されず、単層の建物や公共施設、住居に取り付けられてもよい。その場合、本発明のルーバー構造を取り付けた建築物の省エネルギー効果が期待される。
【００９９】
また、建築物１０１に既設されているブラインドの上部をルーバー構造１０に置き換えることも可能である。これにより、居室Ｉでは、ブラインドとルーバー構造１０とを独立して機能させることができる。例えば、日射が強いときに、ブラインドを用いて居室Ｉのルーバー構造１０よりも下方の領域では室外側から室内側に進む光を遮断する一方、ルーバー構造１０では強い日光を室内側に取り入れ、居室Ｉ内を明るくすることができる。
【符号の説明】
【０１００】
１０  ルーバー構造
１２，１２Ａ，１２Ｂ  羽根
１４  支持部
１５  スペーサー
１６  芯材
２１  第１放物曲面
２２  第２放物曲面
２３  第３放物曲面
２４  第１平面
２８  鏡面反射シート
２９  拡散反射シート
３１  一方の放物曲面
３２  仮想放物曲面（他方の放物曲面）
４１  第１嵌合部
４２  第２嵌合部
５１  上側曲面
５２  上側平面
５３  下側曲面
５４  下側平面
７１  上面
８１  下面
１０１  建築物
Ｊ２  仮想光軸線（仮想軸線）
【図１】
2020143450.tif 000003
【図２】
2020143450.tif 000004
【図３】
2020143450.tif 000005
【図４】
2020143450.tif 000006
【図５】
2020143450.tif 000007
【図６】
2020143450.tif 000008
【図７】
2020143450.tif 000009